(57)【要約】【課題】安定した揺動動作で長寿命の揺動装置を提供する。【解決手段】複数組の突起軸１７ａ，１７ｂと略すり鉢状軸受１６ａ，１６ｂによって揺動板１３が安定して揺動可能に支持され、安定した揺動動作が得られるとともに、かつ揺動駆動手段８ａ、８ｂが押しつぶされること等により寿命を損なうことを防止でき、安定した揺動動作で長寿命の揺動装置を提供することができる。【選択図】図２
2005087454.tif 000002
【特許請求の範囲】
【請求項１】
支持板と、前記支持板と略対向して設けた揺動板と、前記支持板に対して前記揺動板を揺動自在に支持し一対となって作用する、突起軸及び軸受と、前記揺動板を揺動する揺動駆動手段とを備えた揺動装置。
【請求項２】
揺動駆動手段は膨張収縮可能な複数の空気袋から成り、前記空気袋には空気ポンプが接続され、前記空気袋の空気を給排気制御する制御手段を備えた請求項１記載の揺動装置。
【請求項３】
空気袋は折りたためるように構成した請求項２記載の揺動装置。
【請求項４】
空気袋の内側に屈曲自在なスペーサを設けた請求項３記載の揺動装置。
【請求項５】
スペーサはひも部材である請求項４記載の揺動装置。
【請求項６】
スペーサは空気袋の内側に形成した突起である請求項４記載の揺動装置。
【請求項７】
揺動板は平面投影面積を支持板より広く構成した請求項１〜６のいずれか１項記載の揺動装置。
【請求項８】
揺動板の略中央付近に凹部を形成した請求項１〜７のいずれか１項記載の揺動装置。
【請求項９】
突起軸を揺動板と一体的に形成し、軸受を支持板と一体的に形成した請求項１〜８のいずれか１項記載の揺動装置。
【請求項１０】
突起軸を支持板と一体的に形成し、軸受を揺動板と一体的に形成した請求項１〜８のいずれか１項記載の揺動装置。
【発明の詳細な説明】
【技術分野】
【０００１】
本発明は、人体や人体部位、その他生物や物体等を揺動する揺動装置に関する。
【背景技術】
【０００２】
従来、この種の揺動装置は、図９（ａ）、（ｂ）に示したように、枕カバー１の中の空気袋２，３に、エアーポンプから空気を送り込み、空気袋２，３を一定時間ごとに交互に膨張収縮させ、頭部4を揺動させて後頭部のマッサージを行う（例えば、特許文献１参照）。
【特許文献１】特開平４−８２５５１号公報
【発明の開示】
【発明が解決しようとする課題】
【０００３】
しかしながら、前記従来の揺動装置の構成では、空気袋２，３の空気が抜けた状態で枕カバー１に頭部4を載せた場合、空気袋２，３が頭部4の重量で押しつぶされてしまい、枕としては低くなり過ぎたり、空気袋２，３の耐久寿命を損なったりするという課題を有していた。本発明は、上記課題を解決するもので、安定した揺動動作で長寿命の揺動装置を提供することを目的とする。
【課題を解決するための手段】
【０００４】
前記従来の課題を解決するために、本発明の揺動装置は、支持板と前記支持板に対して前記揺動板を揺動自在に支持し、一対となって作用する、突起軸及び軸受と、前記揺動板を揺動する揺動駆動手段とを備えたものである。
【０００５】
突起軸と軸受によって、支持板に対して揺動板が安定して揺動可能に支持され、かつ揺動駆動する揺動駆動手段への駆動エネルギーを除去して前記支持板と前記揺動板との相互間隔が外力等（含む重力）で押し縮められた場合においても、前記突起軸と軸受によって支持板と揺動板との最小間隔距離が維持され、揺動駆動手段が押しつぶされることを防止することができる。
【発明の効果】
【０００６】
本発明の揺動装置は、突起軸と軸受によって揺動板が安定して揺動可能に支持され、安定した揺動動作が得られるとともに、かつ揺動駆動手段が押しつぶされること等により寿命を損なうことを防止でき、安定した揺動動作で長寿命の揺動装置を提供することができる。
【発明を実施するための最良の形態】
【０００７】
上記した本発明の目的は、各請求項に記載した構成を実施の形態とすることにより達成できるので、以下には各請求項の構成にその構成による作用効果を併記し、併せて請求項記載の構成のうち説明を必要とする特定用語については詳細な説明を加えて、本発明における実施の形態の説明とする。
【０００８】
第１の発明は、支持板と、前記支持板と略対向して設けた揺動板と、前記支持板に対して前記揺動板を揺動自在に支持する複数組の突起軸と略すり鉢状軸受と、前記揺動板を揺動する揺動駆動手段を備えたことにより、前記支持板と前記揺動板との相互間隔が外力等（含む重力）で押し縮められた場合においても、前記複数組の突起軸と略すり鉢状軸受によって支持板と揺動板との最小間隔距離が維持され、揺動駆動手段が押しつぶされることを防止できるため、前記揺動駆動手段が押しつぶされること等によって寿命を損なうことを防止でき、安定した揺動動作で長寿命の揺動装置を提供することができる。
【０００９】
第２の発明は、第１の発明において揺動駆動手段は膨張収縮可能な複数の空気袋から成り、前記空気袋には空気ポンプが接続され、前記空気袋の空気を給排気制御する制御手段を備えたことにより、複数の空気袋の空気を交互に給排気すると複数組の突起軸と略すり鉢状軸受が交互に当接支持と離脱を繰り返し、揺動板を円滑に揺動することができる。
【００１０】
第３の発明は、第２の発明において空気袋を折りたたみ構成としたことにより、空気袋に空気を入れることによって空気袋が膨らむ際、空気袋の膨らみによる変位量は折り重なった層の数だけ合計した変位量を得ることができるので、１個の空気袋で数個分の変位量が得られる。たとえば、空気袋を三つ折りにした場合、１個の空気袋で３個分の変位量が得られる。これにより、空気ポンプから送られる空気量が比較的少なくても、必要な揺動変位量を得られ、小型安価な空気ポンプで所望の揺動速度と揺動変位量を実現することができる。
【００１１】
第４の発明は、第３の発明において空気袋の内側に屈曲自在にスペーサを構成したことにより、空気袋が折りたたみ状態から空気の流入により膨張する際に、スペーサにより折り目で空気の流入が阻害されずにスムーズで、屈曲自在なスペーサなので空気袋の膨張収縮による変位もスムーズにできる。このことにより、揺動板の円滑な揺動動作をすることができる。
【００１２】
第５の発明は、第４の発明において空気袋内にスペーサとして、ひも部材を入れた構成にしたことにより、空気袋が折りたたみ部分も紐部材によって空気が流通しやすい隙間を確保でき、かつ紐部材は屈曲自在なので空気袋のスムーズな膨張収縮および変位ができ、揺動板の円滑な揺動動作をすることができる。
【００１３】
第６の発明は、第４の発明において空気袋内にスペーサとして、突起を形成した構成により、空気袋が折りたたみ部分も突起によって空気が流通しやすい隙間を確保でき、空気袋のスムーズな膨張収縮および変位ができ、揺動板の円滑な揺動動作をすることができる。
【００１４】
第７の発明は、第１の発明から第６の発明のいずれかに記載の揺動板において、平面投影面積を支持板より広い構成としたことにより、支持板を揺動板によって覆うことができ、外観上すっきり美しくできる。また、揺動板の周囲の縁部を立体形状にして薄板でも変形強度を強くするように形成した場合でも、揺動板と支持板の面積がことなり、縁の位置を立体的に異なる位置にできるため、揺動板の縁と支持板の縁が衝突や接触など防止でき、揺動板を軽量にすることができる。
【００１５】
第８の発明は、第１の発明から第７の発明のいずれかに記載の揺動板において、揺動板は、略中央付近に凹部を形成したことにより、揺動板の上に人体や人体部位その他生物や物体等を載せて揺動するとき、載せる位置をおよそ特定することができたり、あるいは載せた状態を安定することができる。
【００１６】
第９の発明は、第１の発明から第８の発明のいずれかに記載の揺動板と支持板において、突起軸を揺動板と一体的に形成し、略すり鉢状軸受を支持板と一体的に形成したことにより、支持板に一体的に構成された略すり鉢状軸受の上方に、揺動板と一体的に構成された突起軸を大まかに位置合わせして置くだけで組み合わせできるため、簡単に組み立てをすることができる。
【００１７】
第１０の発明は、第１の発明から第８の発明のいずれかに記載の揺動板と支持板において、突起軸を支持板と一体的に形成し、略すり鉢状軸受を揺動板と一体的に形成したことにより、略すり鉢状軸受に異物が入り込んだり、残留することを防止できるため、より長寿命の揺動装置を実現することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における揺動装置の外観図、図２は図１のＡ−Ａ断面における断面図を示すものである。実施の形態１の揺動装置は、本体ユニット７と、ポンプユニット１０、ホース１１、リモコン１２によって構成されている。図1、図２において、本体ユニット７は、樹脂製の支持板１４に一体成型した４個の４個の突起軸１７ａ，１７ｂ，１７ｃ，１７ｄは略すり鉢状軸受１６ａ，１６ｂ，１６ｃ，１６ｄに対応して、樹脂製の揺動板１３に一体成型したを揺動自在に支持する４個の突起軸１７ａ，１７ｂ，１７ｃ，１７ｄが組み合わさった構成である。なお、突起軸１６ｃ，１６ｄおよび略すり鉢状軸受１６ｃ，１６ｄは図２の断面の手前側にあるため、図示していない。
【００２０】
ポンプユニット１０は、空気吸込口１０ａ、排出口１０ｂ、空気ポンプ２１、消音手段２２、空気弁２４、圧力センサ２５、空気ポンプ２１と空気弁２４とを制御する制御手段２６とを備えている。
【００２１】
図３に揺動駆動手段である空気袋８ａの構成図を示す。空気袋８ａは密封したポリウレタン系あるいはポリオレフィン系など可とう性の樹脂フィルムでつくられた袋部８１の内部にスペーサとして屈曲自在な紐部材８２が装着されている。８３は空気の出入口である。このようにして構成された空気袋８ａは図３に示したように、複数段折り（ここでは３段折り）されて支持板１４および揺動板１３に装着される。このように空気袋８ａを折りたたみ構成にしているので、支持板１４および揺動板１３の間の距離が小さくて済み、本体ユニット７の高さを低く構成することができ、たとえば、この揺動装置の本体ユニット７の上に日常使い慣れている自分の枕を載せて使用しても、枕の高さが高くなりすぎて気になったりしないレベルにできる。なお、空気袋８ｂも空気袋８ａと同様な構成である。
【００２２】
空気袋８ａの内部にスペーサとしての屈曲自在な紐部材８２が、空気袋８ａの折りたたみに対してほぼ直交する方向に装着してあるが、これは、空気袋８ａが折りたたまれて縮んだ状態から空気の流入により膨張する際に、紐部材８２で空気の流入する隙間通路が確保されるので、空気の流通が阻害されずスムーズに行われ、空気ポンプ２１の負担も少なく円滑に作動するので、空気ポンプ２１の騒音も小さくできる。しかも空気袋８ａ膨張収縮もスムーズにできるので、揺動板１３の揺動動作もスムーズにできる。
【００２３】
また、空気袋８ａの内部の紐部材８２の代わりに、樹脂製の袋部８１の内部にたとえば千鳥状の配置で丸型の突起や凹凸を形成しても、空気袋８ａは屈曲自在でかつ折りたたみ部分の空気の流通を確保することができ、紐部材８２と同様の作用が得られる。
【００２４】
図４に略すり鉢状軸受１６ａに突起軸１７ａが当接した状態の部分拡大断面図を示した。略すり鉢状軸受１６ａは名称のようにすり鉢状をしており、空気袋８ａまたは空気袋８ｂが膨張後、収縮して揺動板１４が下降する際に、外力などで揺動板１４が本来の位置から多少ずれても、突起軸１７ａまたは突起軸１７ｂの凸部がすり鉢状の凹部にはまるので、位置ずれせずに安定した揺動動作を繰り返すことができる。
【００２５】
以上のように構成された揺動装置について、以下その動作、作用を説明する。図５（ａ）、（ｂ）はそれぞれ空気袋８ａが膨張、収縮する際の動作概略図、図６（ａ）、（ｂ）はそれぞれ空気袋８ｂが膨張、収縮する際の動作概略図である。
【００２６】
就寝者がリモコン１２で図示しない起床時刻設定部で起床時刻を設定し、空気袋８ａ、８ｂの膨張流量や周期を設定してスタートスイッチを押すと、予め設定された時間だけ、空気袋８ａ、８ｂの膨張・収縮が行われる。
【００２７】
空気袋８ａが膨張、収縮する場合、図５（ａ）に示したように、空気弁２４が作動し流路を図のように切換え、空気ポンプ２１が空気吸込口１０ａから周囲の空気を吸込み、消音手段２２で空気ポンプ２１の吐出騒音を消音した後、空気ポンプ２１から排出された空気は空気弁２４を経て空気袋８ａに流入し、空気袋８ａを膨張させ、揺動板１３の左側が上昇する。この動作は制御手段２６により所定時間継続され、揺動板１３は所定高さまで上昇する。
【００２８】
次に、空気袋８ａの膨張が終了後、制御手段２６は図５（ｂ）に示したように、空気弁２４を制御して流路を変え、空気袋８ａの空気を排出口１０ｂから排出し、空気袋８ａが収縮する。この際、枕上の頭部の自重により空気袋８ａ内の空気が排出される。図２のように略すり鉢状軸受１６ａに突起軸１７ａが当接した状態になるまで空気袋８ａ内の空気が排出されると、圧力センサ２５が圧力ゼロを検出し、制御手段２６はリモコンで設定された周期に相当する時間だけ待機する。
【００２９】
次いで制御手段２６が所定時間待機後、今度は同様な手順で、図６（ａ）、（ｂ）に示したように、空気袋８ｂの膨張、収縮によって揺動板１３の右側が上昇して下降する。
【００３０】
以上のような揺動板１３の左右交互の上昇下降動作は、予め設定された時間だけ継続され、頭部が揺動されて入眠に導かれる。
【００３１】
次に、制御手段２６に記憶された起床時刻の所定時間になると、図５および図６で説明したときと同様の動作原理で、制御手段２６により空気弁２４と、空気ポンプ２１が制御され、揺動板１３の揺動動作が開始され、目覚めを促す。ただし起床時の揺動周期および揺動高さなども、入眠時と同様リモコン１２によって好みのモードを選択できる。
【００３２】
以上のような本実施の形態においては、支持板１４と略対向して設けた揺動板１３と、支持板１４に対して揺動板１３を揺動自在に支持する複数組の突起軸１７ａ，１７ｂ，１７ｃ，１７ｄと略すり鉢状軸受１６ａ，１６ｂ，１６ｃ，１６ｄと、前記揺動板１３を揺動する揺動駆動手段である空気袋８ａ、８ｂを備えたことにより、前記支持板１４と前記揺動板１３との相互間隔が外力等（含む重力）で押し縮められた場合においても、前記複数組の突起軸１７ａ，１７ｂ，１７ｃ，１７ｄと略すり鉢状軸受１６ａ，１６ｂ，１６ｃ，１６ｄによって支持板１４と揺動板１３との最小間隔距離が維持され、揺動駆動手段である空気袋８ａ、８ｂが押しつぶされることを防止できるため、前記揺動駆動手段である空気袋８ａ、８ｂが押しつぶされること等によって寿命を損なうことを防止でき、安定した揺動動作で長寿命の揺動装置を提供することができる。
【００３３】
また、揺動駆動手段は膨張収縮可能な複数の空気袋８ａ、８ｂから成り、前記空気袋８ａ、８ｂには空気ポンプ２１が接続され、前記空気袋８ａ、８ｂの空気を給排気制御する制御手段２５を備えたことにより、複数の空気袋８ａ、８ｂの空気を交互に給排気すると複数組の突起軸１７ａ，１７ｂ，１７ｃ，１７ｄと略すり鉢状軸受１６ａ，１６ｂ，１６ｃ，１６ｄが交互に当接支持と離脱を繰り返し、揺動板１３を円滑に揺動することができる。
【００３４】
また、空気袋８ａ、８ｂを折りたたみ構成としたことにより、空気袋８ａ、８ｂに空気を入れることによって空気袋８ａ、８ｂが膨らむ際、空気袋８ａ、８ｂの膨らみによる変位量は折り重なった層の数だけ合計した変位量を得ることができるので、１個の空気袋８ａで数個分の変位量が得られる。たとえば、空気袋８ａを三つ折りにした場合、１個の空気袋８ａで３個分の変位量が得られる。これにより、空気ポンプ２１から送られる空気量が比較的少なくても、必要な揺動変位量を得られ、小型安価な空気ポンプ２１で所望の揺動速度と揺動変位量を実現することができる。
【００３５】
また、空気袋８ａ、８ｂの内側に屈曲自在にスペーサ８２を構成したことにより、空気袋８ａ、８ｂが折りたたみ状態から空気の流入により膨張する際に、スペーサ８２により折り目で空気の流入が阻害されずにスムーズで、屈曲自在なスペーサ８２なので空気袋８ａ、８ｂの膨張収縮による変位もスムーズにできる。このことにより、揺動板１３の円滑な揺動動作をすることができる。
【００３６】
また、空気袋８ａ、８ｂ内にスペーサとして、ひも部材８２を入れた構成にしたことにより、空気袋８ａ、８ｂが折りたたみ部分も紐部材８２によって空気が流通しやすい隙間を確保でき、かつ紐部材８２は屈曲自在なので空気袋のスムーズな膨張収縮および変位ができ、揺動板１３の円滑な揺動動作をすることができる。
【００３７】
また、揺動板１３の平面投影面積を支持板１４の平面投影面積より広い構成としたことにより、支持板１４を揺動板１３によって覆うことができ、外観上すっきり美しくできる。
【００３８】
また、揺動板１３の周囲の縁部９を立体形状であるスカート部を形成して薄板でも変形強度を強くするように形成した場合でも、揺動板１３と支持板１４の平面投影が異なることにより、縁の位置を立体的に異なる位置にできるため、揺動板１３の縁９と支持板１４の縁１５が衝突や接触など防止でき、揺動板１３を軽量にすることができる。
【００３９】
また、揺動板１３と支持板１４において、突起軸１７ａ，１７ｂ，１７ｃ，１７ｄを揺動板１３と一体的に形成し、略すり鉢状軸受１６ａ，１６ｂ，１６ｃ，１６ｄを支持板１４と一体的に形成したことにより、支持板に一体的に構成された略すり鉢状軸受１６ａ，１６ｂ，１６ｃ，１６ｄの上方に、揺動板と一体的に構成された突起軸１７ａ，１７ｂ，１７ｃ，１７ｄを大まかに位置合わせして置くだけで組み合わせできるため、簡単に組み立てをすることができる。
【００４０】
なお、本実施の形態において、揺動板１３と支持板１４は樹脂成型品としたが、それに限定されるものではなく、金属プレス品や、チクソモールドのような合金成型品であってもよい。突起軸１７ａ，１７ｂ，１７ｃ，１７ｄや略すり鉢状軸受１６ａ，１６ｂ，１６ｃ，１６ｄも同様に樹脂成型品に限定されるものではない。
【００４１】
（実施の形態２）
図７は本発明の実施の形態２の揺動装置の断面図を示すものである。前記実施の形態１の説明で用いた図２と相違する要点は、略すり鉢状軸受１６ａ，１６ｂと突起軸１７ａ，１７ｂがそれぞれ上下逆向きにした構成である。実施の形態１と異なる点のあと１つは、図８に斜視図で示したように、揺動板１３の凹部１８の形態である。そのほか実施の形態１と同じところについては構成および作用効果の詳細な説明を省略する。
【００４２】
まず、略すり鉢状軸受１６ａ，１６ｂと突起軸１７ａ，１７ｂがそれぞれ上下逆向きにした構成については、突起軸１７ａ，１７ｂを支持板１４と一体的に形成し、略すり鉢状軸受１６ａ，１６ｂを揺動板１３と一体的に形成したことになる。これにより、略すり鉢状軸受１６ａ，１６ｂは、すり鉢が下向きになっているので、すり鉢にゴミなど異物が混入または付着しようとしても落下排除される。したがって略すり鉢状軸受１６ａ，１６ｂと突起軸１７ａ，１７ｂとの当接部いわゆる軸受部を混入異物等で傷つけたり破損したりすることを防止できる。すなわち揺動支持する軸受部の動作円滑性を長期間保ち、揺動装置の寿命を長く維持することができる。
【００４３】
もうひとつの相違点である揺動板１３の凹部１８については、図８のように揺動板１３の周辺の縁部９までは及ばせない中心付近に凹部を形成することで、揺動版１３の変形強度、たわみ強度を比較的より強く維持できる。
【００４４】
また、揺動板１４は、略中央付近に凹部１８を形成したことにより、揺動板１３の上に人体や人体部位その他生物や物体等を載せて揺動するとき、載せる位置をおよそ特定することができたり、あるいは載せた状態を安定化することができる。
【００４５】
なお、上記各実施の形態においては、揺動装置は入眠促進する枕として使用した場合について説明したが、枕および枕を載せる揺動装置に限定されるものではない。
【００４６】
また、揺動板１３を揺動駆動する手段アクチュエータとして、複数の空気袋を８ａ、８ｂ使用した複動揺動の実施の形態であったが、単揺動の場合は1つの空気袋８ａだけでよい。流体も空気でなくても他の気体、液体であってもよい。
【産業上の利用可能性】
【００４７】
以上のように本発明にかかる揺動装置は、突起軸と軸受によって安定した揺動動作が可能となるので、健康、医療、娯楽等の技術分野などの用途にも適用できる。
【図面の簡単な説明】
【００４８】
【図１】本発明の実施の形態１における揺動装置の外観斜視図
【図２】同揺動装置のＡ−Ａ断面図
【図３】同揺動装置の空気袋の斜視図
【図４】同揺動装置の突起軸と略すり鉢状軸受の断面図
【図５】（ａ）同揺動装置の空気袋を膨張させる際のＡ−Ａ断面図（ｂ）同揺動装置の空気袋を収縮させる際のＡ−Ａ断面図
【図６】（ａ）同揺動装置の空気袋を膨張させる際のＡ−Ａ断面図（ｂ）同揺動装置の空気袋を収縮させる際のＡ−Ａ断面図
【図７】本発明の実施の形態２における揺動装置の断面図
【図８】同揺動装置の揺動板の斜視図
【図９】従来の揺動装置の概略構成図
【符号の説明】
【００４９】
８ａ、８ｂ  空気袋（揺動駆動手段）
１３  揺動板
１４  支持板
１７ａ、１７ｂ  突起軸）
１６ａ、１６ｂ  略すり鉢状軸受
１８  凹部
２１  空気ポンプ
２５  制御手段
８２  スペーサ（紐部材、突起）
【図１】
2005087454.tif 000003
【図２】
2005087454.tif 000004
【図３】
2005087454.tif 000005
【図４】
2005087454.tif 000006
【図５】
2005087454.tif 000007
【図６】
2005087454.tif 000008
【図７】
2005087454.tif 000009
【図８】
2005087454.tif 000010
【図９】
2005087454.tif 000011